(57)【要約】【課題】従来に比して強度に優れるとともに、コストの削減が可能となり、さらに、壁パネル同士を接合するに際して容易に位置決めができる壁パネルの提供を目的とする。【解決手段】四角形状の板材２の両面の少なくとも周縁部に、縦横の框材３ａ，３ｂ，３ｃ，３ｄ、４ａ，４ｂ，４ｃ，４ｄを四角枠状に組み立てた枠体３，４を取り付けてなり、板材２の一面側に取り付けられた枠体３の縦框材３ａ，３ｂのうち、一方の縦框材３ａは、板材２の周縁部よりも横方向外側に突出し、他方の縦框材３ｂは、板材２の周縁部よりも横方向内側に引込んでいる壁パネル１。これにより、枠体によって板材を両面側から挟み込むことができる。また、使用する板材の量を２枚から１枚に減らすことができる。その上、隣接する壁パネル同士の一方の縦框材の位置と、他方の縦框材の位置とを合わせるだけで、容易に位置決めできる。【選択図】図１
2008285989.tif 000002
【特許請求の範囲】
【請求項１】
四角形状に形成された板材の両面の少なくとも周縁部に、縦横の框材を四角枠状に組み立てた枠体を取り付けてなり、
前記板材の一面側に取り付けられた枠体の縦框材のうち、一方の縦框材は、前記板材の周縁部よりも横方向外側に突出し、他方の縦框材は、前記板材の周縁部よりも横方向内側に引込んでいることを特徴とする壁パネル。
【請求項２】
請求項１に記載の壁パネルにおいて、
前記一方の縦框材の突出寸法は、前記他方の縦框材の引込み寸法と略等しい寸法となっていることを特徴とする壁パネル。
【請求項３】
請求項１または２に記載の壁パネルにおいて、
前記板材の両面側は、この板材の両面の周縁部に枠体が取り付けられることによって、一面側が開放された凹部空間となっていることを特徴とする壁パネル。
【請求項４】
請求項３に記載の壁パネルにおいて、
前記板材の両面側の凹部空間内には、前記縦框材と平行する縦棧材が、対向する横框材間に配置され、前記横框材と平行する横棧材が、前記縦棧材と直交するようにして、対向する縦框材間に配置されていることを特徴とする壁パネル。
【請求項５】
請求項４に記載の壁パネルにおいて、
前記板材の一面側の枠体および縦棧材の表面には、これら枠体および縦棧材間に架け渡されるようにして、複数の外装材が取り付け固定されており、
これら複数の外装材は、幅方向一端に下サネを他端に上サネを備えることによって、これら上サネおよび下サネが互いに重なり合うようにして隣接配置されており、
前記板材の一面側の枠体のうち、一方の縦框材の表面には、この一方の縦框材の外側端部と下サネの側端部とを揃えるようにして外装材が固定され、他方の縦框材の表面には、この他方の縦框材の外側端部よりも上サネの側端部を突出させるようにして外装材が固定されていることを特徴とする壁パネル。
【請求項６】
請求項１〜５のいずれか一項に記載の壁パネルにおいて、
前記板材は、この板材の幅方向に沿ってスリットを形成することによって、複数に分割されていることを特徴とする壁パネル。
【発明の詳細な説明】
【技術分野】
【０００１】
本発明は、住宅等の建物に用いられる壁パネルに関する。
【背景技術】
【０００２】
近年、住宅等の建物の構築についてはその工業化が進み、例えば壁や床、屋根といった構成要素を予め工場にてパネル化しておき、施工現場でこれらのパネルを組み立てることにより住宅を構築するパネル工法が一部に採用されている（例えば、特許文献１参照）。
この特許文献１で用いられる壁パネルは、縦芯材と横芯材とが矩形枠状に組み立てられるとともに、この矩形枠の内部に補強芯材が縦横に組まれて枠体とされ、さらに、この枠体内にグラスウール等の断熱材が充填された状態で枠体の表裏両面に合板等の面材が貼着されたものである。
【特許文献１】特開平１１−２６９９８２号公報
【発明の開示】
【発明が解決しようとする課題】
【０００３】
ところが、上記特許文献１に記載のような壁パネルに対して、剪断方向や捻れ方向などに大きな変形力が加わった場合、この壁パネルの大部分を構成する両面材や、これら両面材と枠体との取付部分などが多大な影響を受けてしまう場合がある。このため、近年、地震対策等の観点から、面材や、面材と枠体との接合部分が影響を受けにくく、強度に優れる壁パネルの技術開発が望まれていた。
しかしながら、壁パネルの強度を向上させるために、例えば、強度の高い金属を取り付けたり、制振等の特殊な機能を付属させるとコストの増加を招く場合がある。
【０００４】
さらに、従来、上記特許文献１のような壁パネルを隣接させて接合する際は、壁パネルの側端面同士を互いに突き合わせつつ、これら側端面同士を接着剤によって接着する方法などが採用されている。
しかしながら、従来の壁パネルの側端面は平らに形成されているため、側端面同士を付き合わせると、互いに面方向にずれてしまい、その位置決めが難しい場合がある。
【０００５】
本発明の課題は、従来に比して強度に優れるとともに、コストの削減が可能となり、さらに、壁パネル同士を接合するに際して容易に位置決めができる壁パネルの提供を目的とする。
【課題を解決するための手段】
【０００６】
請求項１に記載の発明は、壁パネル１であり、例えば図１および図２に示すように、四角形状に形成された板材２の両面の少なくとも周縁部に、縦横の框材３ａ，３ｂ，３ｃ，３ｄ、４ａ，４ｂ，４ｃ，４ｄを四角枠状に組み立てた枠体３，４を取り付けてなり、
前記板材２の一面側に取り付けられた枠体３の縦框材３ａ，３ｂのうち、一方の縦框材３ａは、前記板材２の周縁部よりも横方向外側に突出し、他方の縦框材３ｂは、前記板材２の周縁部よりも横方向内側に引込んでいることを特徴とする。
【０００７】
請求項１に記載の発明によれば、四角形状に形成された板材２の両面の少なくとも周縁部に、縦横の框材３ａ，３ｂ，３ｃ，３ｄ、４ａ，４ｂ，４ｃ，４ｄを四角枠状に組み立てた枠体３，４を取り付けてなるので、前記枠体３，４によって板材２を両面側から挟み込むことができ、地震等による板材２の変形を抑制することができる。すなわち、前記板材２に対して、剪断方向や捻れ方向などに大きな変形力が加わった場合、この板材２は様々な方向に向かって変形しようとする。例えば板材２が、側面視くの字に変形しようとすれば、板材２両面の前記一方の縦框材３ａ，４ａおよび他方の縦框材３ｂ，４ｂによって変形を抑制し、板材２が、平面視くの字に変形しようとすれば、板材２両面の前記一方の横框材３ｃ，４ｃおよび他方の横框材３ｄ，４ｄとによって変形を抑制することができる。また、例えば板材２が、捻れるように変形しようとすれば、板材２両面の前記枠体３，４全体で変形を抑制することができる。したがって、前記板材２が、いずれの方向に変形しても前記枠体３，４によって変形を抑制することができるので、前記板材２や、この板材２と両枠体３，４との取付部分に影響が出にくく、地震等に対する強度を向上させることが可能となる。
また、前記板材２の両面に枠体３，４が取り付けられてなるので、従来に比して、使用する板材２の量を２枚から１枚に減らすことができ、コストを削減することができる。
その上、前記板材２の一面側に取り付けられた枠体３の縦框材３ａ，３ｂのうち、一方の縦框材３ａは、前記板材２の周縁部よりも横方向外側に突出し、他方の縦框材３ｂは、前記板材２の周縁部よりも横方向内側に引込んでいるので、前記一方の縦框材３ａと他方の縦框材３ｂとは、凹凸の関係性を有していることとなる。したがって、壁パネル１同士を隣接させて接合する際は、突出している一方の壁パネル１の一方の縦框材３ａと、引込んでいる他方の壁パネル１の他方の縦框材３ｂとの位置を合わせるようにしながら、隣接する壁パネル１の側端面同士を密接させるだけで、従来に比して、容易に位置決めを行うことができる。
【０００８】
請求項２に記載の発明は、例えば図１に示すように、請求項１に記載の壁パネル１において、
前記一方の縦框材３ａの突出寸法は、前記他方の縦框材３ｂの引込み寸法と略等しい寸法となっていることを特徴とする。
【０００９】
請求項２に記載の発明によれば、前記一方の縦框材３ａの突出寸法は、前記他方の縦框材３ｂの引込み寸法と略等しい寸法となっているので、壁パネル１同士を隣接させて接合する際に、突出している一方の壁パネル１の一方の縦框材３ａと、引込んでいる他方の壁パネル１の他方の縦框材３ｂとの位置を正確に合わせることができる。
【００１０】
請求項３に記載の発明は、例えば図１および図２に示すように、請求項１または２に記載の壁パネル１において、
前記板材２の両面側は、この板材２の両面の周縁部に枠体３，４が取り付けられることによって、一面側が開放された凹部空間５，６となっていることを特徴とする。
【００１１】
請求項３に記載の発明によれば、前記板材２の両面側は、この板材２の両面の周縁部に枠体３，４が取り付けられることによって、一面側が開放された凹部空間５，６となっていることから、これら凹部空間５，６を、例えば断熱材の設置スペースとしたり、パイプスペースとしたり、また棚を取り付けて収納スペースとするなど、多目的に利用することができるので、利便性が高い。
【００１２】
請求項４に記載の発明は、例えば図１および図２に示すように、請求項３に記載の壁パネル１において、
前記板材２の両面側の凹部空間５，６内には、前記縦框材３ａ，３ｂ、４ａ，４ｂと平行する縦棧材５ａ，６ａが、対向する横框材３ｃ，３ｄ、４ｃ，４ｄ間に配置され、前記横框材３ｃ，３ｄ、４ｃ，４ｄと平行する横棧材５ｂ，６ｂが、前記縦棧材５ａ，６ａと直交するようにして、対向する縦框材３ａ，３ｂ、４ａ，４ｂ間に配置されていることを特徴とする。
【００１３】
請求項４に記載の発明によれば、前記凹部空間５，６内には、前記縦框材３ａ，３ｂ、４ａ，４ｂと平行する縦棧材５ａ，６ａが、対向する横框材３ｃ，３ｄ、４ｃ，４ｄ間に配置され、前記横框材３ｃ，３ｄ、４ｃ，４ｄと平行する横棧材５ｂ，６ｂが、前記縦棧材５ａ，６ａと直交するようにして、対向する縦框材３ａ，３ｂ、４ａ，４ｂ間に配置されていることから、これら縦横の棧材５ａ，５ｂ、６ａ，６ｂによって前記枠体３，４の補強を行うことができるので、地震等に対する強度をより向上させることが可能となる。
【００１４】
請求項５に記載の発明は、例えば図５に示すように、請求項４に記載の壁パネル１において、
前記板材２の一面側の枠体３および縦棧材５ａの表面には、これら枠体３および縦棧材５ａ間に架け渡されるようにして、複数の外装材７が取り付け固定されており、
これら複数の外装材７は、幅方向一端に下サネ７ａを他端に上サネ７ｂを備えることによって、これら上サネ７ｂおよび下サネ７ａが互いに重なり合うようにして隣接配置されており、
前記板材２の一面側の枠体３のうち、一方の縦框材３ａの表面には、この一方の縦框材３ａの外側端部と下サネ７ａの側端部とを揃えるようにして外装材７が固定され、他方の縦框材３ｂの表面には、この他方の縦框材３ｂの外側端部よりも上サネ７ｂの側端部を突出させるようにして外装材７が固定されていることを特徴とする。
【００１５】
請求項５に記載の発明によれば、前記板材２の一面側の枠体３のうち、一方の縦框材３ａの表面には、この一方の縦框材３ａの外側端部と下サネ７ａの側端部とを揃えるようにして外装材７が固定され、他方の縦框材３ｂの表面には、この他方の縦框材３ｂの外側端部よりも上サネ７ｂの側端部を突出させるようにして外装材７が固定されているので、壁パネル１同士を隣接させて接合する際に、突出している一方の壁パネル１の一方の縦框材３ａと、引込んでいる他方の壁パネル１の他方の縦框材３ｂとの位置を合わせるのと同時に、前記一方の壁パネル１の一方の縦框材３ａの表面に固定された外装材７の下サネ７ａと、前記他方の壁パネル１の他方の縦框材３ｂの表面に固定された外装材７の上サネ７ｂとを互いに重ね合わせることができ、施工性に優れる。
【００１６】
請求項６に記載の発明は、例えば図６および図７に示すように、請求項１〜５のいずれか一項に記載の壁パネル１において、
前記板材２は、この板材２の幅方向に沿ってスリット２０を形成することによって、複数に分割されていることを特徴とする。
【００１７】
請求項６に記載の発明によれば、前記板材２は、この板材２の幅方向に沿ってスリット２０を形成することによって、複数に分割されていることから、これら分割された板材２０ａ，２０ｂ（２０ａ，２０ｂ，２０ｃ）どうしが、地震等による変形力を互いに伝達させにくくなるので、これら分割された板材２０ａ，２０ｂ（２０ａ，２０ｂ，２０ｃ）に対して、地震等による大きな力が必要以上にかかることを抑えることができ、これら分割された板材２０ａ，２０ｂ（２０ａ，２０ｂ，２０ｃ）が破壊されることを確実に防ぐことができる。
【発明の効果】
【００１８】
本発明によれば、板材の両面の周縁部に取り付けられた枠体によって板材を両面側から挟み込むことができ、板材が、いずれの方向に変形しても枠体によって変形を抑制することができるので、板材や、この板材と両枠体との取付部分に影響が出にくく、地震等に対する強度を向上させることが可能となる。
また、板材の両面に枠体が取り付けられてなるので、従来に比して、使用する板材の量を２枚から１枚に減らすことができ、コストを削減することができる。
その上、板材の一面側に取り付けられた一方の縦框材と他方の縦框材とは、凹凸の関係性を有していることとなるので、壁パネル同士を隣接させて接合する際は、突出している一方の壁パネルの一方の縦框材と、引込んでいる他方の壁パネルの他方の縦框材との位置を合わせるようにしながら、隣接する壁パネルの側端面同士を密接させるだけで、従来に比して、容易に位置決めを行うことができる。
【発明を実施するための最良の形態】
【００１９】
以下、図面を参照して本発明の実施の形態について説明する。
【００２０】
本実施の形態の壁パネル１は、図１および図２に示すように、四角形状に形成された板材２の両面の少なくとも周縁部に、縦横の框材３ａ，３ｂ，３ｃ，３ｄ、４ａ，４ｂ，４ｃ，４ｄを四角枠状に組み立てた枠体３，４を取り付けてなり、前記板材２の一面側に取り付けられた枠体３の縦框材３ａ，３ｂのうち、一方の縦框材３ａは、前記板材２の周縁部よりも横方向外側に突出し、他方の縦框材３ｂは、前記板材２の周縁部よりも横方向内側に引込んでいる。
【００２１】
ここで、本実施の形態の板材２として、材料に合板が用いられているが、これに限るものではない。すなわち、例えば樹種を変更したり、木片等を合成樹脂で固めたパーティクルボードを使用してもよく、地震等に対する強度を向上させることが可能であれば、本発明の趣旨を逸脱しない範囲で適宜変更可能である。
【００２２】
なお、前記板材２は、１枚板で構成するようにしてもよいが、図３に示すように、上下に分割するようにして構成してもよいものとする。このように板材２を上下に分割することで、上側の板材２ａの変形を下側の板材２ｂに伝達させにくく、下側の板材２ｂの変形を上側の板材２ａに伝達させにくいので、好ましい。
【００２３】
前記枠体３，４は、図１および図２に示すように、離間して対向配置された縦框材３ａ，３ｂ、４ａ，４ｂの上下端部間に、それぞれ横框材３ｃ，３ｄ、４ｃ，４ｄが架設されることで、四角枠状に形成されている。
【００２４】
また、ただ単に前記板材を分割するだけでなく、図６に示すように、前記板材２の幅方向に沿ってスリット２０を形成して、前記板材２を複数に分割することが望ましい。すなわち、分割された板材２０ａ，２０ｂ間に細隙が形成されることになることから、これら分割された板材２０ａ，２０ｂどうしが、地震等による変形力を、互いに、より伝達させにくくなるので、これら分割された板材２０ａ，２０ｂに対して、地震等による大きな力が必要以上にかかることを抑えることができ、これら分割された板材２０ａ，２０ｂが破壊されることを、より確実に防ぐことができる。
【００２５】
なお、前記板材２に形成するスリット２０の本数は、図６に示すように、１本でも良いし、図７に示すように、２本以上であっても良い。
また、本実施の形態のスリット２０とは、互いに接触していない状態の板材２０ａ，２０ｂ（２０ａ，２０ｂ，２０ｃ）間に形成される細い隙間のことを指している。
【００２６】
また、上述したように、前記板材２の一面側に取り付けられた枠体３の縦框材３ａ，３ｂのうち、一方の縦框材３ａは、前記板材２の周縁部よりも横方向外側に突出し、他方の縦框材３ｂは、前記板材２の周縁部よりも横方向内側に引込んでいる。
そして、前記一方の縦框材３ａの突出寸法は、前記他方の縦框材３ｂの引込み寸法と略等しい寸法となっており、壁パネル１同士を隣接させて接合する際に、突出している一方の壁パネル１の一方の縦框材３ａと、引込んでいる他方の壁パネル１の他方の縦框材３ｂとの位置を正確に合わせることができるようになっている。
【００２７】
なお、前記一方の縦框材３ａの突出寸法は、図１に示すように、例えば一方の縦框材３ａのうち、前記板材２の周縁部から横方向外側に突出していない部分の幅寸法の値を「１０」とすると、前記板材２の周縁部から横方向外側に突出している部分の幅寸法の値が「５」となっている。
対して、前記他方の縦框材３ｂの幅寸法の値は、前記一方の縦框材３ａの突出していない部分と同じく「１０」となっており、前記板材２の周縁部よりも横方向内側に引込んだ分の引込み寸法の値は、前記一方の縦框材３ａの突出している部分と同じく「５」となっている。
すなわち、前記一方の縦框材３ａが突出する分だけ、他方の縦框材３ｂが引込んだ形態となっている。ただし、以上説明した各値はこれに限定されない。
【００２８】
一方、前記板材２の他面側に取り付けられた枠体４は、図１に示すように、前記板材２の周縁部に沿って正確に取り付けられており、前記板材２の一面側に取り付けられた枠体３よりも、奥行き寸法が長く形成されている。
【００２９】
そして、前記板材２の両面側は、図１および図２に示すように、この板材２の両面の周縁部に枠体３，４が取り付けられることによって、一面側が開放された凹部空間５，６となっており、多目的に利用することができるので、利便性が高い。
【００３０】
すなわち、前記凹部空間５，６は、図５に示すように、例えば断熱材８，９の設置スペースとして使用されたり、パイプスペース１０として使用されたり、また、図示はしないが、棚を取り付けて収納スペースとすることも可能となっている。
特に、前記板材２の両面側に設けられた凹部空間５，６の双方に断熱材８，９を設置すると、従来の、断熱材を柱や枠材の内部に埋設する充填断熱方法や、柱や枠材の外部に断熱材を貼り付ける外張り断熱方法に比して、同性能の断熱材を用いた場合は、その断熱性を格段に向上させることができる。
【００３１】
また、前記板材２の両面側の凹部空間５，６内には、図１および図２に示すように、前記縦框材３ａ，３ｂ、４ａ，４ｂと平行する縦棧材５ａ，６ａが、対向する横框材３ｃ，３ｄ、４ｃ，４ｄ間に配置され、前記横框材３ｃ，３ｄ、４ｃ，４ｄと平行する横棧材５ｂ，６ｂが、前記縦棧材５ａ，６ａと直交するようにして、対向する縦框材３ａ，３ｂ、４ａ，４ｂ間に配置されている。
なお、前記凹部空間５，６内に、これら縦横の棧材５ａ，５ｂ、６ａ，６ｂが配置される際は、これら縦横の棧材５ａ，５ｂ、６ａ，６ｂを避けて前記断熱材８，９が設置されることとなる。
【００３２】
なお、前記板材２の一面側の縦棧材５ａは、前記板材２の一面側の一方の縦框材３ａよりも幅広に形成されており、これによって、例えば図５に示すように、前記板材２の一面側に外装材７を取り付ける際に、前記板材２の一面側の縦棧材５ａに対して外装材７の端部を固定できるようになっている。
また、前記板材２の他面側の横棧材６ｂは、図２に示すように、その奥行き寸法が、前記板材２の他面側の横框材４ｃ，４ｄの奥行き寸法に比して、短く設定されており、例えば電気ケーブル等を壁パネル１の上下方向に連通させることができる。
【００３３】
そして、以上のように前記板材２の両面側の凹部空間５，６内に、前記縦框材３ａ，３ｂ、４ａ，４ｂと平行する縦棧材５ａ，６ａが、対向する横框材３ｃ，３ｄ、４ｃ，４ｄ間に配置され、前記横框材３ｃ，３ｄ、４ｃ，４ｄと平行する横棧材５ｂ，６ｂが、前記縦棧材５ａ，６ａと直交するようにして、対向する縦框材３ａ，３ｂ、４ａ，４ｂ間に配置されていることから、これら縦横の棧材５ａ，５ｂ、６ａ，６ｂによって前記枠体３，４の補強を行うことができるので、地震等に対する強度をより向上させることが可能となっている。
【００３４】
一方、前記板材２の一面側の枠体３および縦棧材５ａの表面には、図５に示すように、これら枠体３および縦棧材５ａ間に架け渡されるようにして、複数の外装材７が取り付け固定されている。さらに、これら複数の外装材７は、幅方向一端に下サネ７ａを他端に上サネ７ｂを備えることによって、これら上サネ７ｂおよび下サネ７ａが互いに重なり合うようにして隣接配置されている。
また、前記板材２の他面側の枠体４および縦横の棧材６ａ，６ｂの表面には、防湿シート１２ａを介して石膏ボード１２が取り付けられている。
さらに、前記板材２の両面側の凹部空間５，６のうち、一面側の凹部空間５には、パイプスペース１０が形成されるとともに断熱材８が設置されており、他面側の凹部空間６には、断熱材９が設置されている。
【００３５】
また、図５に示すように、前記凹部空間５には断熱材８が設置されている。そして、この断熱材８の厚みを薄く形成しておくことによって、断熱材８の表面と、板材２の一面側の枠体３の表面に取り付けられた外装材７の裏面との間に、壁パネル１の上下方向に連通する通気層１１を形成できるので、外装材７の裏面側に雨水が浸入したとしても、通気性に優れるので、壁パネル１内部の乾燥状態を維持することが可能となる。
なお、この時、前記横棧材５ｂには、この横棧材５ｂの上方の通気層１１と、下方の通気層１１とを連通する通気孔（図示せず）が形成されている。
【００３６】
そして、前記板材２の一面側の枠体３のうち、一方の縦框材３ａの表面には、この一方の縦框材３ａの外側端部と下サネ７ａの側端部とを揃えるようにして外装材７が固定され、他方の縦框材３ｂの表面には、この他方の縦框材３ｂの外側端部よりも上サネ７ｂの側端部を突出させるようにして外装材７が固定されている。
これによって、壁パネル１同士を隣接させて接合する際に、突出している一方の壁パネル１の一方の縦框材３ａと、引込んでいる他方の壁パネル１の他方の縦框材３ｂとの位置を合わせるのと同時に、前記一方の壁パネル１の一方の縦框材３ａの表面に固定された外装材７の下サネ７ａと、前記他方の壁パネル１の他方の縦框材３ｂの表面に固定された外装材７の上サネ７ｂとを互いに重ね合わせることができ、施工性に優れる。
【００３７】
なお、本実施の形態の壁パネル１とは別に、例えば建物の壁の端部に位置したり、建物の壁面から突出する袖壁などを形成したい場合には、図４に示すような壁パネル１３を使用してもよい。
この壁パネル１３は、板材１４の両面に枠体１５，１６および棧材１５ｃ，１６ａが取り付けられており、板材１４の一面側に取り付けられた枠体１５の一方の縦框材１５ａも、板材１４の周縁部より横方向外側に突出しておらず、他方の縦框材１５ｂも、板材１４の周縁部より横方向内側に引込んでいない構成となっている。
【００３８】
次に、本実施の形態の壁パネル１の作用について詳細に説明する。
ここで、本実施の形態の壁パネル１は、図１および図２に示すように、四角形状に形成された板材２の両面の少なくとも周縁部に、縦横の框材３ａ，３ｂ，３ｃ，３ｄ、４ａ，４ｂ，４ｃ，４ｄを四角枠状に組み立てた枠体３，４を取り付けてなるものであり、前記板材２に対して、剪断方向や捻れ方向などに大きな変形力が加わった場合、この板材２は様々な方向に向かって変形しようとする構成となっている。
【００３９】
例えば板材２が、側面視くの字に変形しようとすれば、板材２両面の前記一方の縦框材３ａ，４ａおよび他方の縦框材３ｂ，４ｂによって変形を抑制する。
すなわち、例えば前記板材２の一面側が外側に向くように位置し、他面側が内側に向くように位置するようにして、前記板材２が側面視くの字に変形する場合、前記板材２の一面側に取り付けられた一方の縦框材３ａおよび他方の縦框材３ｂも、前記板材２の一面側と同様の方向に変形しようとし、前記板材２の他面側に取り付けられた一方の縦框材４ａおよび他方の縦框材４ｂも、前記板材２の他面側と同様の方向に変形しようとする力が働く。
【００４０】
これに対して、前記板材２の一面側に取り付けられた一方の縦框材３ａおよび他方の縦框材３ｂには、変形に対する復帰力が生じて元の状態に戻ろうとし、前記板材２の他面側に取り付けられた一方の縦框材４ａおよび他方の縦框材４ｂにも、変形に対する復帰力が生じて元の状態に戻ろうとする。
【００４１】
このため、前記板材２は、この板材２両面に取り付けられた一方の縦框材３ａ，４ａおよび他方の縦框材３ｂ，４ｂの、変形しようとする力と、変形に対する復帰力とによって挟み込まれることとなる。
【００４２】
すなわち、前記板材２が、側面視くの字に変形しようとしても、前記板材２の両面に取り付けられた一方の縦框材３ａ，４ａおよび他方の縦框材３ｂ，４ｂによって変形を抑制され、また側面視逆くの字に変形しようとしても、前記板材２の両面に取り付けられた一方の縦框材３ａ，４ａおよび他方の縦框材３ｂ，４ｂによって変形を抑制されることとなる。
【００４３】
一方、例えば、前記板材２が、平面視くの字に変形しようとしても、上述のごとく、前記板材２両面の前記一方の横框材３ｃ，４ｃおよび他方の横框材３ｄ，４ｄとによって、その変形が抑制されることとなる。
また、例えば板材２が、捻れるように変形しようとしても、前記板材２両面の縦横の框材３ａ，３ｂ，３ｃ，３ｄ、４ａ，４ｂ，４ｃ，４ｄからなる枠体３，４全体で変形を抑制することができるようになっている。
【００４４】
しかも、前記板材２の両面側の凹部空間５，６には、前記縦横の棧材５ａ，５ｂ、６ａ，６ｂが設けられているので、これら縦横の棧材５ａ，５ｂ、６ａ，６ｂによって前記枠体３，４の補強を行うことができ、この補強された枠体３，４によって板材２の変形を抑制する力が強化されることとなる。
【００４５】
したがって、前記板材２が、いずれの方向に変形しても前記枠体３，４および縦横の棧材５ａ，５ｂ、６ａ，６ｂによって変形を抑制することができるので、前記板材２や、この板材２と両枠体３，４との取付部分に影響が出にくく、地震等に対する強度を向上させることが可能となる。
【００４６】
本実施の形態によれば、前記板材２の両面の周縁部に取り付けられた前記枠体３，４によって板材２を両面側から挟み込むことができ、板材２が、いずれの方向に変形しても枠体３，４によって変形を抑制することができるので、前記板材２や、この板材２と両枠体３，４との取付部分に影響が出にくく、地震等に対する強度を向上させることが可能となる。
また、前記板材２の両面に枠体３，４が取り付けられてなるので、従来に比して、使用する板材２の量を２枚から１枚に減らすことができ、コストを削減することができる。
その上、前記板材２の一面側に取り付けられた枠体３の縦框材３ａ，３ｂのうち、一方の縦框材３ａは、前記板材２の周縁部よりも横方向外側に突出し、他方の縦框材３ｂは、前記板材２の周縁部よりも横方向内側に引込んでいるので、前記一方の縦框材３ａと他方の縦框材３ｂとは、凹凸の関係性を有していることとなる。したがって、壁パネル１同士を隣接させて接合する際は、突出している一方の壁パネル１の一方の縦框材３ａと、引込んでいる他方の壁パネル１の他方の縦框材３ｂとの位置を合わせるようにしながら、隣接する壁パネル１の側端面同士を密接させるだけで、従来に比して、容易に位置決めを行うことができる。
【図面の簡単な説明】
【００４７】
【図１】本発明の実施の形態に係る壁パネルを示すとともに、隣接する壁パネル同士の接合形態の概略を示す平断面図である。
【図２】図１に示す壁パネルの正面図、側断面図および底断面図である。
【図３】図１に示す壁パネルの板材の割付例を示す正面図である。
【図４】その他の壁パネルの例を示す平断面図である。
【図５】壁パネル同士の接合状態および周辺設備を示す平断面図である。
【図６】壁パネルの板材に１本のスリットを形成した状態を示す斜視図および側断面図である。
【図７】壁パネルの板材に２本のスリットを形成した状態を示す側断面図である。
【符号の説明】
【００４８】
１  壁パネル
２  板材
３  枠体
３ａ  一方の縦框材
３ｂ  他方の縦框材
４  枠体
【図１】
2008285989.tif 000003
【図２】
2008285989.tif 000004
【図３】
2008285989.tif 000005
【図４】
2008285989.tif 000006
【図５】
2008285989.tif 000007
【図６】
2008285989.tif 000008
【図７】
2008285989.tif 000009